【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
検索結果の円滑な目視をし易くする、ナビゲーションに基づくシステムであって、
検索入力を受け、該入力を処理して検索結果を表す複数のサムネールを返す検索コンポーネントと、
検索結果の数に無関係に長さが１ページである第１の表示空間内に前記複数のサムネールを呈示する表示コンポーネントであって、前記ページの長さが、返される検索結果の数に基づく、表示コンポーネントと、
前記複数のサムネールのナビゲーションおよび操作をし易くする１つ以上のナビゲーション・コンポーネントであって、前記１つ以上のナビゲーション・コンポーネントが、
（１）前記複数のサムネールを目視するために必要なスクロール空間量を動的に決定する無限スクロール・コンポーネントと、
（２）前記サムネールをナビゲートするために、前記サムネールを含む前記表示空間内を掴み前記表示空間を所望のスクロール方向にドラッグするのをし易くするポインティング・デバイスと、
（３）前記複数のサムネール上で選択的に拡大あるいは縮小するズーミングを行うズーム制御部であって、拡大するズーミングは前記表示空間においてより少ないサムネールが一度にしかし高めた詳細さで見えるようにし、縮小するズーミングはより多いサムネールが前記表示空間において一度にしかしより低下した詳細さで見えるようにする、ズーム制御部と、
（４）オブジェクト・オーバーレイ・コンポーネントであって、前記第１表示空間からのサムネールの選択時に、前記サムネールのソースであるウェブ・ページを第２の表示空間において表示し、この表示を、前記表示されたウェブ・ページ上に前記サムネールを表示することによって行うオブジェクト・オーバーレイ・コンポーネントと、
を含む、１つ以上のナビゲーション・コンポーネントと、
を備えた、システム。
【請求項２】
請求項１記載のシステムにおいて、前記必要なスクロール空間量は、前記ページの長さに少なくとも部分的に基づく、システム。
【請求項３】
請求項１記載のシステムにおいて、前記検索結果は、画像、テキスト、ウェブ・ページ、ＵＲＬ、並びに文書、サウンド・ファイル、ビデオ・ファイル、ブックカバーのサムネール画像、記事、ウェブサイト、画像透視図、またはリストされたアイテムの部分あるいは編集されたバージョンのうちの少なくとも１つを含む、システム。
【請求項４】
請求項１記載のシステムにおいて、１つ以上の他のページに位置する追加結果へのページングを軽減するために、前記サムネールを、可変長の１ページに分散させる、システム。  
【請求項５】
請求項１記載のシステムにおいて、前記ページの長さは、前記検索コンポーネントが返すサムネールの各集合に対し、動的に変化する、システム。
【請求項６】
請求項１記載のシステムにおいて、前記１つ以上のナビゲーション・コンポーネントは、更に、
前記表示空間の縁端において少なくとも１つの行または列に前記サムネールを配列し、前記検索結果の少なくとも部分集合のビューを保持しつつ、選択したサムネールを一層詳細に目視するために前記表示空間内に空きを残すフィルム・ストリップ・ビューア、
を備えた、システム。
【請求項７】
請求項１記載のシステムにおいて、前記ズーム制御部は、異なった画像サイズ間でユーザが選択できるようにする複数のプリセット・ズーム・コマンド、または連続したズーム・スライダを備えた、、システム。
【請求項８】
請求項１記載のシステムにおいて、１つよりも多いサムネールが画面上に残留することを限度として、より多いまたは少ない詳細を目視するために、１つ以上のサムネールのサイズを個々に変更できる、システム。
【請求項９】
サムネール画像検索結果を目視し易くするユーザ・インターフェースであって、
画像検索結果を表す複数のサムネール画像をレンダリングする表示空間を呈示する表示コンポーネントであって、前記表示空間が、
（１）前記サムネール画像のフィルム・ストリップ・ビューを表示するための第１エリアであって、前記サムネール画像のうち少なくとも第１部分集合が画面上にあり、前記サムネール画像の第２部分集合が画面外にあって前記第１部分集合と同時に見ることができない、第１エリアと、
（２）選択されたサムネール画像のソース文書と、前記選択されたサムネール画像の拡大ビューであって前記ソース文書の表示にオーバーレイする拡大ビューとを表示する第２エリアと、
を含む表示コンポーネントと、
前記サムネール画像の無限スクロールをし易くするため、ページの決定した長さに少なくとも部分的に基づいて、ある数のサムネール画像を表示するのに必要なスクロール空間量を動的に決定する無限スクロール・コンポーネントと、及び
前記第１エリア内の個々のサムネール画像のサイズを、選択されたサムネール画像の作用可能な角をドラッグすることによって選択的に変更できるようにするサムネール・サイズ制御部と、
を備えた、ユーザ・インターフェース。
【請求項１０】
請求項９記載のユーザ・インターフェースであって、更に、より低い画像毎の詳細さで一時により多くのサムネール画像、あるいはより高い画像毎の詳細さで一時により少ないサムネール画像の少なくとも一方を目視し易くするために、１つ以上のサムネール画像の倍率を変化させる少なくとも１つのズーム・コンポーネントを備えた、ユーザ・インターフェース。
【請求項１１】
請求項１０記載のユーザ・インターフェースにおいて、前記少なくとも１つのズーム・コンポーネントは、異なる画像サイズの中からユーザが選択できるようにする複数のプリセット・ズーム・コマンド、または連続ズーム・スライダのうち少なくとも１つを備えた、ユーザ・インターフェース。
【請求項１２】
請求項９記載のユーザ・インターフェースであって、更に、前記表示空間において他の検索結果を目視するために、前記第１エリア内の前記表示空間を掴み該表示空間を所望のスクロール方向に移動することをし易くする少なくとも１つの選択コンポーネントを備えた、ユーザ・インターフェース。
【請求項１３】
請求項９記載のユーザ・インターフェースであって、更に、前記表示空間およびその中にあるコンテンツのナビゲーションをし易くする１つ以上のナビゲーション・コンポーネントを備えており、該コンポーネントは、１つ以上の矢印キー、ページ戻りキー、およびページ進みキーを備えた、ユーザ・インターフェース。
【請求項１４】
請求項９記載のユーザ・インターフェースにおいて、前記表示空間は、前記複数のサムネール画像を１つのページに結果の数に無関係にレンダリングする、ユーザ・インターフェース。
【請求項１５】
請求項９記載のユーザ・インターフェースにおいて、前記無限スクロール・コンポーネントは、前記フィルム・ストリップ・ビューにおいて前記サムネール画像の最初から最後までの無限スクロールをし易くするために、前記フィルム・ストリップ・ビューに適用する、ユーザ・インターフェース。
【請求項１６】
請求項９記載のユーザ・インターフェースであって、更に、前記ページに対応する前記表示空間の全体ビューと、前記表示空間を前記少なくとも２つの表示エリアに区分したビューとの間の切換をし易くするドロップ・ダウン・メニューを備えた、ユーザ・インターフェース。
【請求項１７】
検索結果ナビゲーション・システムであって、
検索入力を受け、該入力を処理して検索結果を表す複数のサムネールを返す検索コンポーネントと、
第１の表示空間内に前記複数のサムネールを呈示する表示コンポーネントであって、前記第１の表示空間は呈示されるサムネールの数に無関係に長さが１ページであり、前記ページの長さが、返される検索結果の数に基づく、表示コンポーネントと、
前記複数のサムネールを目視し操作するため前記複数のサムネールをナビゲートする１つ以上のナビゲーション・コンポーネントであって、前記１つ以上のナビゲーション・コンポーネントが、
（１）前記複数のサムネールを目視するために必要なスクロール空間量を動的に決定する無限スクロール・コンポーネントであって、該無限スクロールは、前記表示空間内を掴み所望のスクロール方向にドラッグすることによって前記複数のサムネールをスクロールするのをし易くする、無限スクロール・コンポーネントと、
（２）より多い検索結果をより低下した詳細さでまたはより少ない検索結果をより高い詳細さで見るために、同時に前記複数のサムネール上で選択的に拡大あるいは縮小するズーミングを行うズーム制御部と、
（３）オブジェクト・オーバーレイ・コンポーネントであって、前記第１表示空間からのサムネールの選択時に、前記サムネールのソースであるウェブ・ページを第２の表示空間において表示し、この表示を、前記表示されたウェブ・ページ上に前記サムネールを表示することによって行うオブジェクト・オーバーレイ・コンポーネントと、
を含む、１つ以上のナビゲーション・コンポーネントと、
を備えた、システム。
【請求項１８】
請求項１７記載のシステムにおいて、前記１つ以上のナビゲーション・コンポーネントは更に、
前記表示空間の縁端において少なくとも１つの行または列に前記サムネールを配列し、前記検索結果の少なくとも部分集合のビューを保持しつつ、選択したサムネールを一層詳細に目視するために前記表示空間内に空きを残すフィルム・ストリップ・ビューアと、
さらに別のサムネールにナビゲートするために、前記表示空間内を掴み前記１ページを所望のスクロール方向にドラッグするポインティング・デバイスと、
のうちの少なくとも１つを含む、システム。